(57)【要約】【課題】男性が便器に向かって放尿するときの尿の飛散を防止することができる使い捨て可能な排尿飛散防止機能を有する衛生用品としての男性用使い捨て衛生用品を提供する。【解決手段】男性用使い捨て衛生用品１０は、本体部１１、第１の開口Ｋ１、第２の開口Ｋ２及び第１の開口Ｋ１と第２の開口Ｋ２の間に設けられている中空部分１２を有している。本体部１１は、水に濡れていないときに普通の紙のような機能を有し、水に濡れているときに分散し溶ける機能を有しており、例えば、坪量が略１２０グラム／平方メートル、厚さが略２００マイクロメートルで及び分散時間が略１００秒である。このような構造の男性用使い捨て衛生用品１０は、男性が便器に向かって放尿するときの尿の飛散を防止することができる使い捨て可能な排尿飛散防止機能を有する衛生用品として優れたものである。【選択図】図１
0003220561.tif 000002
【実用新案登録請求の範囲】
【請求項１】
男性の排尿における尿の飛散を防止する使い捨て可能なように形成されている男性用使い捨て衛生用品であって、
筒状に形成されている本体部と、前記本体部の先端に設けられている第１の開口と、前記本体部の後端に設けられている第２の開口と、前記第１の開口と前記第２の開口の間に設けられている中空部分と、を有し、
前記第１の開口は、男性器が挿入可能な大きさに形成され、
前記中空部分は、前記男性器が嵌め込まれるような大きさに形成され、
前記第２の開口は、前記排尿が排出されるような大きさに形成されており、
前記本体部は、水に濡れていないときに普通の紙のような機能を有し、水に濡れているときに分散し溶ける機能を有しており、予め定められた坪量、予め定められた厚さ、及び前記分散するまでの時間である予め定められた分散時間を有することを特徴とする男性用使い捨て衛生用品。
【請求項２】
前記予め定められた前記坪量は、略１２０グラム／平方メートルであり、前記予め定められた厚さは、略２００マイクロメートルであり、及び前記予め定められた分散時間は、略１００秒であることを特徴とする請求項１の記載の男性用使い捨て衛生用品。
【請求項３】
前記筒状は、前記第１の開口が前記第２の開口より大きい円錐筒状であることを特徴とする請求項１または請求項２に記載の男性用使い捨て衛生用品。
【請求項４】
前記本体部は、子供用または大人用の大きさに形成されていることを特徴とする請求項１から請求項３のいずれかに記載の男性用使い捨て衛生用品。
【請求項５】
前記第１の開口及び前記中空部分に前記男性器が挿入されている状態で、前記男性器から排尿されたときに、前記排尿が、前記本体部の内部を介して前記第２の開口から洋式トイレに向かうように形成されており、前記排尿が終了し、前記排尿により濡れている前記本体部は、前記洋式トイレで流されるように形成されていることを特徴とする請求項１から請求項４のいずれかに記載の男性用使い捨て衛生用品。
【請求項６】
前記本体部の前記第１の開口側の内周面に水に溶ける軟らかい半円筒状の紙が貼り付けられていることを特徴とする請求項１から請求項５のいずれかに記載の男性用使い捨て衛生用品。
【考案の詳細な説明】
【技術分野】
【０００１】
本考案は、男性用使い捨て衛生用品に関する。
【背景技術】
【０００２】
男性の放尿時、特に洋式トイレにおいて尿の飛散は頻繁に起こりうる問題であり、便器内の尿の飛散を防止し、温水洗浄便座にも使用可能な小便飛散防止具が開示されている。
【先行技術文献】
【特許文献】
【０００３】
【特許文献１】特開２００８-２９７７７９号公報
【考案の概要】
【考案が解決しようとする課題】
【０００４】
上記の排尿飛散防止具は、男性が便器に向かって放尿するときは立位で行う場合が多く放尿は便器に向けて行われ便器内に当たり、このはね返りにより尿の一部は飛散して便器周囲、便器蓋などを汚すことになり、定期的にこの汚れを除去することが必要となっており、特に、ホテル、飲食店などでは、客からの清掃の依頼などの煩わしさのみならず清掃のための費用が発生するという問題もあった。
【０００５】
そこで本考案は、このような課題を解決するためになされたもので、男性が便器に向かって放尿するときの尿の飛散を防止することができる使い捨て可能な排尿飛散防止機能を有する衛生用品としての男性用使い捨て衛生用品を提供することである。
【課題を解決するための手段】
【０００６】
上記課題を解決するために、本考案に係る男性用使い捨て衛生用品は、男性の排尿における尿の飛散を防止する使い捨て可能なように形成されている男性用使い捨て衛生用品であって、筒状に形成されている本体部と、前記本体部の先端に設けられている第１の開口と、前記本体部の後端に設けられている第２の開口と、前記第１の開口と前記第２の開口の間に設けられている中空部分と、を有し、前記第１の開口は、男性器が挿入可能な大きさに形成され、前記中空部分は、前記男性器が嵌め込まれるような大きさに形成され、前記第２の開口は、前記排尿が排出されるような大きさに形成されており、前記本体部は、水に濡れていないときに普通の紙のような機能を有し、水に濡れているときに分散し溶ける機能を有しており、予め定められた坪量、予め定められた厚さ、及び前記分散するまでの時間である予め定められた分散時間を有することを特徴とする。
【０００７】
本考案に係る男性用使い捨て衛生用品の態様について、前記予め定められた前記坪量は、略１２０グラム／平方メートルであり、前記予め定められた厚さは、略２００マイクロメートルであり、及び前記予め定められた分散時間は、略１００秒であることが好ましい。
【０００８】
本考案に係る男性用使い捨て衛生用品の態様について、前記筒状は、前記第１の開口が前記第２の開口より大きい円錐筒状であることが好ましい。
【０００９】
本考案に係る男性用使い捨て衛生用品の態様について、前記本体部は、子供用または大人用の大きさに形成されていることが好ましい。
【００１０】
本考案に係る男性用使い捨て衛生用品の態様について、前記第１の開口及び前記中空部分に前記男性器が挿入されている状態で、前記男性器から排尿されたときに、前記排尿が、前記本体部の内部を介して前記第２の開口から洋式トイレに向かうように形成されており、前記排尿が終了し、前記排尿により濡れている前記本体部は、前記洋式トイレで流されるように形成されていることが好ましく、また、前記本体部の前記第１の開口側の内周面に水に溶ける軟らかい半円筒状の紙が貼り付けられていることが好ましい。
【考案の効果】
【００１１】
本考案によれば、男性が便器に向かって放尿するときの尿の飛散を防止することができる使い捨て可能な排尿飛散防止機能を有する衛生用品としての男性用使い捨て衛生用品を提供することができる。
【図面の簡単な説明】
【００１２】
【図１】実施形態の男性用使い捨て衛生用品の一例を示す模式図である。
【考案を実施するための形態】
【００１３】
以下、本考案の実施形態を、図１を用いて説明する。
図１（ａ）は、男性用使い捨て衛生用品１０の斜めからの模式図であり、図１（ｂ）は、男性用使い捨て衛生用品１０の横からの模式図であり、図１（ｃ）は、図１（ｂ）のＡ−Ａ断面を示す模式図である。図１に示すように、実施形態の男性用使い捨て衛生用品１０は、男性の排尿における尿の飛散を防止する使い捨て可能なように形成されている筒状の衛生用品である。
【００１４】
男性用使い捨て衛生用品１０は、上記のとおり筒状に形成されており、男性が排尿、つまり放尿するときの尿の飛散を防止することができ、使用後は、便器に使い捨てすることが可能なように形成されているものである。
【００１５】
男性用使い捨て衛生用品１０は、筒状に形成されている本体部１１、本体部１１の先端に設けられている第１の開口Ｋ１、本体部１１の後端に設けられている第２の開口Ｋ２、及び第１の開口Ｋ１と第２の開口Ｋ２の間に設けられている中空部分１２を有している。
【００１６】
第１の開口Ｋ１は、男性器が挿入可能な大きさに形成されており、また、中空部分１２は、男性器が嵌め込まれるような大きさに形成されている。すなわち、男性用使い捨て衛生用品１０は、男性の排尿時に男性器が第１の開口Ｋ１に挿入され、第１の開口Ｋ１に挿入された男性器が、中空部分１２に嵌め込まれ覆われた状態で、放尿することにより、尿が本体部１１の内部に当たることにより便器の縁、外部などに飛散することを防ぐことができるように形成されている。第２の開口Ｋ２は、上記の本体部１１の内部に排尿された尿が排出されるような大きさに形成されており、尿は、第２の開口Ｋ２から飛散されることがなく便器に放尿されることになる。
【００１７】
本考案の特徴として男性用使い捨て衛生用品１０の本体部１１は、水に濡れていないときに普通の紙のような機能を有し、水に濡れているときに分散し溶ける機能を有している。このような機能を有するために、本体部１１は、予め定められた坪量、予め定められた厚さ、及び分散するまでの時間である予め定められた分散時間を有するような部材が選択されている。
【００１８】
本体部１１の上記の予め定められた坪量は略１２０グラム／平方メートルであり、予め定められた厚さは略２００マイクロメートルであり、及び予め定められた分散時間は略１００秒であることが望ましく、また、例えば、予め定められた坪量は略６０グラム／平方メートルであり、予め定められた厚さは略９５マイクロメートルであり、及び予め定められた分散時間は略６０秒などであってもよいが、これらに限定されず、適宜最適な坪量、厚さ及び分散時間が組み合わされた部材を選択すればよい。
【００１９】
上記の本体部１１の部材は、例えば、いわゆる水溶紙であり、本考案の開発における多種の実験の結果、使用感、飛散の防止、溶ける時間などにおいて、坪量略１２０グラム／平方メートルトル、厚さ略２００マイクロメートル、分散時間略１００秒である水溶紙が、最適なものの一つとして特定できた紙質である。なお、水溶紙は、一例として、紙と水をかき混ぜることで紙の繊維を分散させ、この分散された繊維を紙の原料としたものであるが、ここでは詳細な説明は省略する。
【００２０】
上記のとおり本体部１１は筒状であることが望ましく、第１の開口Ｋ１が第２の開口Ｋ２よりも大きい円錐筒状であることが望ましい。また、本体部１１の形状は、子供用、大人用などの複数の大きさに形成されていることが望ましい。このように本考案の男性用使い捨て衛生用品１０は、形状において、使用者、使用形態に合わせ最適なものに設計するとよい。なお、男性用使い捨て衛生用品１０は、例えば、端部を貼り付けて製造する方法、一体的に製造する方法などがあるが、適宜最適な方法で製造すればよい。
【００２１】
また、男性用使い捨て衛生用品１０は、本体部１１の第１の開口Ｋ１の側の内周面に、水に溶ける軟らかい半円筒状の紙、例えば、吸水性があり水に溶けるティッシュペーパーと同様な半円筒状の素材を貼り付けてもよい。このような構造にすることで男性用使い捨て衛生用品１０は、上記の半円筒状の紙の部分を下にして使用することにより、この半円筒状の紙の部分で残尿などの漏れを吸い取ることができ、便器、床などの汚れを抑制することができる優れた効果を有するものである。
【００２２】
次に、男性用使い捨て衛生用品１０の使用の一例について紹介する。男性用使い捨て衛生用品１０は、第１の開口Ｋ１及び中空部分１２に男性器が挿入されている状態、つまり排尿のために使用されている状態で、男性器から排尿されたときに、排尿が、本体部１１の内部を介して第２の開口Ｋ２から、例えば、洋式トイレに向かうように形成されている。そして、排尿が終了し、排尿により濡れている本体部１１は、洋式トイレに廃棄され流されるように形成されている。本端部１１は、例えば、洋式トイレで流される前に溶けるこができ、また、流されながら溶けることもできることにより、使い捨てとしての機能を有するものである。
【００２３】
このような構造の男性用使い捨て衛生用品１０は、男性が便器に向かって放尿するときの尿の飛散を防止することができる使い捨て可能な排尿飛散防止機能を有する衛生用品として優れたものであり、この男性用使い捨て衛生用品１０を使用することにより、手が局所に触れることのない衛生用品として提供できるものであり、病気の予防にも効果を発揮できるものである。
【００２４】
また、特に、子供の排尿時において、尿が体の一部に付着し、かゆみ、ただれなどが起こりうるが、男性用使い捨て衛生用品１０の使用により、このような尿の体への付着を防止することができるという顕著な効果も有している。さらに、男性用使い捨て衛生用品１０は、排尿の勢いが弱く、排尿の方向が定まらない高齢者などにおいて、ズボンなどの衣服に尿が付着することのないようにすることができる優れたものである。このようにズボンなどの衣服に尿が付着することのない効果を有する男性用使い捨て衛生用品１０が用意されているホテル、飲食店などを利用することができれば、外出したときに、尿がズボンなどの衣服に付着し恥ずかしくなること、恥じをかくことなどを回避することができることより、衣服の着替えなどを用意することもなく、安心して外出することができるようになる。
【００２５】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２６】
また、本考案の男性用使い捨て衛生用品は、部材の種類、大きさや形状、素材の坪量、厚さ、重さ、分散時間などについては多様な実施形態が可能であり、それらについて本実施形態と異なる形態による実施は、本考案の技術的範囲に含まれる。
【符号の説明】
【００２７】
１０    男性用使い捨て衛生用品
１１    本体部
１２    中空部分
Ｋ１    第１の開口
Ｋ２    第２の開口
【図１】
0003220561.tif 000003